(57)【要約】【課　題】コンクリートやアスファルトを切削するときに発生する切削ヘドロと、凝集剤を混合してヘドロを凝集させる切削ヘドロの処理装置において、攪拌機による撹拌を行わないで混合して生成されたフロックが壊されることがないようにし、切削ヘドロを少量の凝集剤で効率よく凝集させることができるようにする。【解決手段】道路カッター１で路面を切削するときに発生する切削ヘドロが排出される排出管２１に凝集剤の供給管２９を接続し、切削ヘドロに凝集剤を合流させて混合する。排出管２１にはまた、先端部に螺旋管２７が連結され、凝集剤を混合した切削ヘドロに螺旋運動を与え混合する。螺旋管２７は、上部に拡大部２４ａ、下部に縮小部２４ｂを有して上下を開口した漏斗状の容器２４の拡大部２４ａ内に配置され、切削ヘドロが容器２４を通り抜ける間、螺旋運動を収斂し、沈降させる。【選択図】　図５
2004130227.tif 000002
【特許請求の範囲】
【請求項１】
コンクリートやアスファルトを切削するときに発生する切削ヘドロを排出する排出路に凝集剤の供給路を接続して切削ヘドロと凝集剤を合流させ、ついで乱流を起こさせる管内に通して混合させることを特徴とする切削ヘドロの処理方法。
【請求項２】
コンクリートやアスファルトを切削するときに発生する切削ヘドロを排出する排出管と、該排出管の中間部に接続され、排出管内を流通する切削ヘドロに凝集剤を供給する供給管と、供給管の接続箇所よりも排出側の排出管端に接続され、凝集剤と合流した切削ヘドロに乱流を起こさせる管手段とを有することを特徴とする切削ヘドロの処理装置。
【請求項３】
上記管手段を下部を窄めて開口した漏斗状の容器内に収めて設けたことを特徴とする請求項２記載の切削ヘドロの処理装置　。
【発明の詳細な説明】
【０００１】
【発明が属する技術分野】
コンクリートやアスファルトをカッターで切断するときには通常、カッターを冷却すると共に、切削箇所を洗い流して粉塵の発生を抑制するため冷却水が供給される。
本発明は、このとき発生する切削ヘドロを処理する方法及び装置に関するものである。
【０００２】
【従来技術】
図１は、コンクリートやアスファルトを切削するときに発生する切削ヘドロを処理する従来の処理装置の一例を示すもので、道路カッター１で路面を切削するときに発生する切削ヘドロが、第１のタンク３内に送り込まれ、容器２から供給された凝集剤と共に撹拌機４により撹拌されるようになっており、第１のタンク３より溢れ出た懸濁液は、第２のタンク５に受けられ、そこでヘドロの凝集によって生成されたフロックがタンク底部に沈殿し、バルブ６の操作により排出口７より随時排出されるようになっている。
【０００３】
第２のタンク５は、仕切板８によって仕切られ、上述のフロックの生成が主として第１のタンク３に隣接するＡ域で行われる。仕切板下を通じてＡ域と通ずるＢ域ではフロックは少なく、上澄みの清水が第２のタンク５より溢れ出て第３のタンク９に流出し、路面の切削時に道路カッター１に供給されるようにしてある。図中、１１は道路カッター１に設けられ、切削ヘドロを排出するポンプであり、１２は凝集剤の定量ポンプである。また１３は、道路カッター１に冷却水を供給する供給管である。
【０００４】
【発明が解決しようとする課題】
上述する処理装置の第１のタンク内での撹拌は、ヘドロと凝集剤を混合してヘドロの凝集を促進させるために行われるが、問題は、折角できたフロックが撹拌機４の羽根によって壊され、細分化されることで、そのため、上述する処理装置では、第２のタンク５を設けて壊れて細かくなったフロックを再結合するようにしている。
【０００５】
本発明は、生成されたフロックが壊れることなく、少量の凝集剤で切削ヘドロを効率よく凝集させることができるヘドロの処理方法及び装置を提供することを目的とする。
【０００６】
【課題の解決手段】
請求項１に係わる発明は、コンクリートやアスファルトを切削するときに発生する切削ヘドロを排出する排出路に凝集剤の供給路を接続して切削ヘドロと凝集剤を合流させ、ついで乱流を起こさせる管内に通して混合させることを特徴とする。
【０００７】
本発明によると、切削ヘドロを管内に通すだけで、機械的手段による撹拌を行わないので、生成したフロックが壊れることなく、少量の凝集剤で凝集させることができる。
【０００８】
請求項２に係わる発明は、請求項１に係わる発明を実施する装置に関するもので、コンクリートやアスファルトを切削するときに発生する切削ヘドロを排出する排出管と、該排出管の中間部に接続され、排出管内を流通する切削ヘドロに凝集剤を供給する供給管と、供給管の接続箇所よりも排出側の排出管端に接続され、凝集剤と合流した切削ヘドロに乱流を起こさせる管手段とを有することを特徴とする。
【０００９】
本発明の乱流を起こさせる管手段としては、例えば図２に示すような螺旋管１５、図３に示すようにジグザグに折り曲げたジグザグ管１６、図４に示すように径の拡大部１７ａと縮小部１７ｂを交互に形成した管１７等を例示することができ、或いはこれらの組合せよりなるもの等を例示することができる。
【００１０】
請求項３に係わる発明は、請求項２に係わる発明の管手段を下部を窄めて開口した漏斗状の容器内に収めて設けたことを特徴とする。
凝集剤で凝集した切削ヘドロを乱流状態で管手段からタンク内にそのまゝ放出した場合、タンク内で撹拌されてフロックがなかなか沈降しないのに対し、漏斗状の容器内に放出した場合、撹拌が容器内で行われ、しかも下部を窄めた容器を通り抜ける間に撹拌が次第に収まり、生成したフロックがタンク底部に早期に沈殿するようになる。
【００１１】
【発明の実施の形態】
以下、本発明の一実施形態を図５に基づいて説明する。なお、図１に示すものと共通するものは、同一符号で示してある。
ホッパ状をなし、下部の排出口２１に開閉バルブ２２を備えた第１のタンク２３内には、上部に拡大部２４ａを、下部に縮小部２４ｂを有して上下を開口した漏斗状の容器２４が配置され、拡大部２４ａには、切削時に発生した切削ヘドロを排出する排出管２６先端部に接続され、管手段を下部を窄めて開口した漏斗状の容器内に収めて設けたことを特徴とするに乱流を起こさせる管手段としての螺旋管２７が配置され、排出管２６の中間部にはチーズ継手２８によって凝集剤を供給する供給管２９が接続されている。図中、３１は図１に示す第３タンク９に相当する第２タンクである。
【００１２】
本装置によると、排出管２６内を流通する切削ヘドロに凝集剤が合流して混合され、ついで螺旋管２７を通ってら螺旋状に送られる間に激しい乱流を生じ、容器２４の拡大部２４ａ内に吐出される。そして縮小部２４ｂを通るに従い、渦巻状の流れが収斂され、生成したフロックが第１のタンク２３底部に沈降する。そして開閉バルブ２２を開けることにより適時排出される。上澄みの清水は、第１のタンク２３より溢れ出て第２のタンク３１に流入し、その後、供給管１３より道路カッター１に送られるのは、図１に示したものと同様である。
【００１３】
本装置によれば、撹拌が切削ヘドロと凝集剤の合流と、螺旋管２７により行われ、機械的手段により行われないので、生成したフロックが壊れにくゝ、少量の凝集剤で効率よく凝集させることができること、螺旋管２７よりタンク２３内に放出された切削ヘドロは、漏斗状の容器２４を通る間に渦巻状の流れが次第に収斂されて縮小部２４ｂを降下し、タンク底部に速やかに沈殿する。
【００１４】
【発明の効果】
請求項１及び２に係わる発明によると、排出される切削ヘドロに凝集剤が合流することにより混合され、ついで乱流を生じさせることにより更に一層混合されて機械的手段による撹拌を伴うことなく混合されるので、生成したフロックが壊されることなく、少量の凝集剤で効率よく凝集させることができる。
【００１５】
請求項３に係わる発明によると、管手段から放出された切削ヘドロが、容器内で下部を窄めた容器を通り抜ける間に、撹拌が収まってタンク底部に沈殿するようになり、容器のないものに比べ、フロックの沈降速度が早まり、沈殿が早期に行える。
【図面の簡単な説明】
【図１】従来のヘドロ処理装置の概略図。
【図２】管手段の一例を示す図。
【図３】管手段の別の例を示す図。
【図４】管手段の更に別の例を示す図。
【図５】本発明に係わるヘドロ処理装置の概略図。
【符号の説明】
１・・道路カッター
２、２４・・容器
３、２３・・第１のタンク
４・・攪拌機
５、３１・・第２のタンク
６、２２・・開閉バルブ
７、２１・・排出口
８・・仕切板
９・・第３のタンク
１１・・ポンプ
１２・・定量ポンプ
１３、２９・・供給管
２６・・排出管
２７・・螺旋管
２８・・チーズ継手
【図１】
2004130227.tif 000003
【図２】
2004130227.tif 000004
【図３】
2004130227.tif 000005
【図４】
2004130227.tif 000006
【図５】
2004130227.tif 000007